(57)【要約】【課題】  本考案は、電気メスにより、子宮口の患部などについて生体組織を切り取る際に、電極部材の先端部に張設され高温となる金属細線を生体組織内へ適切に食い込ませてから同電極部材の回転操作を行うことにより、上記金属細線でラッパ状に切り取った生体組織片を円滑に分離できるようにして、生体組織のラッパ状切除の簡易化を図れるようにした生体組織切除用電極部材を提供することを課題とする。【解決手段】  子宮口Ｋの内周面に沿う患部を切除するための金属細線９が、絶縁層８を有する金属製棒状端子６に付設の起立細線９ａと絶縁層８で覆われた金属製ステイ７に付設の起立細線９ｂとを連結する弧状細線９ｃを備えるようにして構成され、棒状端子６を回転操作することにより、上記患部がラッパ状に切除される。【選択図】        図２
0003112005.tif 000002
【実用新案登録請求の範囲】
【請求項１】
高周波電源にケーブルを介して接続されたプローブ付きソケットに挿入される金属製棒状端子と、同棒状端子の中間部で同棒状端子から側方へほぼ直角に張り出した金属製ステイと、同ステイの先端部と上記棒状端子の先端部との間に架設接続された切削刃としての金属細線とを備えるとともに、上記の金属製ステイから金属製棒状端子にかけて被覆する絶縁層を備え、上記金属細線が、上記棒状端子の先端部から同先端部に対し直角に起立した棒状端子付き起立細線と、上記ステイから同ステイに対し直角に起立したステイ付き起立細線と、上記棒状端子付き起立細線の先端と上記ステイ付き起立細線の先端とを連結して内方へ凹んだ形状を有する弧状細線とを、同一平面上に備えるようにして形成されたことを特徴とする、生体組織切除用電極部材。
【考案の詳細な説明】
【技術分野】
【０００１】
本考案は、電気メスとして用いられる電極部材に関し、特に生体組織の所要部分をラッパ状に切除するのに適した電極部材に関する。
【背景技術】
【０００２】
一般に、電気メスの使用に際しては、図３に示すように、高周波電源部１の一方の電極に接続された対極板２が生体Ａの患部ａと反対側の面にあてがわれるとともに、高周波電源部１の他方の電極に接続されたプローブ３付きソケット４に電極部材５が挿し込まれた状態で、プローブ３を把持しながら電極部材５の先端部を操作することにより、患部ａの切除等が行われるようになっている。
そして、電極部材５としては、尖端を有する棒状のものや、支持アームに線状の電極を張設したものなどが使用されているが、子宮口の内周縁に沿う患部をラッパ状に切り取るるような場合には、操作に熟練を要するという不具合がある。
【特許文献１】特開平６−９０９６０号公報
【考案の開示】
【考案が解決しようとする課題】
【０００３】
本考案は、電気メスにより、子宮口の患部などについて生体組織を切り取る際に、電極部材の先端部に張設され高温となる金属細線を生体組織内へ適切に食い込ませてから同電極部材の回転操作を行うことにより、上記金属細線でラッパ状に切り取った生体組織片を円滑に分離できるようにして、生体組織のラッパ状切除の簡易化を図れるようにした生体組織切除用電極部材を提供することを課題とする。
【課題を解決するための手段】
【０００４】
前述の課題を解決するため、本考案の生体組織切除用電極部材は、高周波電源にケーブルを介して接続されたプローブ付きソケットに挿入される金属製棒状端子と、同棒状端子の中間部で同棒状端子から側方へほぼ直角に張り出した金属製ステイと、同ステイの先端部と上記棒状端子の先端部との間に架設接続された切削刃としての金属細線とを備えるとともに、上記の金属製ステイから金属製棒状端子にかけて被覆する絶縁層を備え、上記金属細線が、上記棒状端子の先端部から同先端部に対し直角に起立した棒状端子付き起立細線と、上記ステイから同ステイに対し直角に起立したステイ付き起立細線と、上記棒状端子付き起立細線の先端と上記ステイ付き起立細線の先端とを連結して内方へ凹んだ形状を有する弧状細線とを、同一平面上に備えるようにして形成されたことを特徴としている。
【考案の効果】
【０００５】
上述の本考案の生体組織切除用電極部材では、高周波電源に接続されたプローブ付きソケットに挿入される金属製棒状端子が、同棒状端子の中間部から側方へほぼ直角に張り出した金属製ステイを備えて、同ステイの先端部と上記棒状端子の先端部との間に架設接続された切削刃としての金属細線とを備え、同金属細線が、棒状端子付き起立細線の先端とステイ付き起立細線の先端とを連結して内方へ凹んだ形状を有する弧状細線を、上記の各起立細線と同一平面上に備えるようにして形成されているので、子宮口などの内周縁に沿う患部を切り取る際には、上記棒状端子を子宮口に挿入して３６０度にわたり回転操作を行うことにより、上記の各起立細線の起立高さに応じた厚さで、上記弧状細線によるラッパ状の患部切除が適切に且つ能率よく行われるようになり、その際、上記の各起立細線は止血の作用を行うこともできる。
【考案を実施するための最良の形態】
【０００６】
高周波電源の出力電圧は最大で３５０Ｖとされ、その周波数は６ＭＨｚ程度とされる。これによりアーク放電を抑えることができ、ジュール熱を有効に利用して生体組織の切除を能率よく安全に行うことができる。
【実施例】
【０００７】
図１は本考案の一実施例としての生体組織切除用電極部材の側面図、図２は図１の電極部材の使用状態を示す説明図である。
図１に示すように、本実施例の電極部材５Ａは、高周波電源にケーブルを介し接続されたプローブ付きソケットに挿入される金属製棒状端子６の中間部に、同棒状端子６から側方へほぼ直角に張り出した金属製ステイ７を備えており、同ステイ７から金属製棒状端子６にかけて被覆する絶縁層８も備えている。
【０００８】
また、ステイ７の先端部と棒状端子６の先端部との間には、切削刃としての金属細線９が架設されている。
金属細線９は、棒状端子６の先端部から同先端部に対し直角に起立した棒状端子付き起立細線９ａと、ステイ７から同ステイ７に対し直角に起立したステイ付き起立細線９ｂと、上記の各起立細線９ａ，９ｂを連結して内方へ凹んだ形状を有する弧状細線９ｃとを、同一平面上に備えるようにして形成されている。
【０００９】
上記の棒状端子６，ステイ７および金属細線９の材質としてはステンレス鋼やモリブデン鋼などが用いられ、また絶縁層８の材質としては高温に耐えるセラミック樹脂やナイロン樹脂などが用いられる。
【００１０】
上述の実施例の生体組織切除用電極部材では、高周波電源に接続されたプローブ付きソケットに挿入される金属製棒状端子６が、同棒状端子６の中間部から側方へほぼ直角に張り出した金属製ステイ７を備えて、同ステイ７の先端部と棒状端子６の先端部との間に架設接続された切削刃としての金属細線９を備え、同金属細線９が、棒状端子付き起立細線９ａの先端とステイ付き起立細線９ｂの先端とを連結して内方へ凹んだ形状を有する弧状細線９ｃを、各起立細線９ａ，９ｂと同一平面上に備えるようにして形成されているので、図２に示すように、子宮口Ｋの内周縁に沿う患部などを切り取る際には、電極部材５Ａの棒状端子６を子宮口に挿入して３６０度にわたり回転操作を行うことにより、各起立細線９ａ，９ｂの起立高さに応じた厚さで、弧状細線９ｃによるラッパ状の患部切除が適切に且つ能率よく行われるようになり、その際、各起立細線９ａ，９ｂは止血の作用を行うこともできる。
【産業上の利用可能性】
【００１１】
水分を含む素材について、切削加工を行う場合に、本考案の電極部材における金属細線の形状を適宜変更することによって、現場の要請に応えることも可能である。
【図面の簡単な説明】
【００１２】
【図１】本考案の一実施例としての生体組織切除用電極部材を示す側面図である。
【図２】図１の電極部材の使用状態を示す説明図である。
【図３】対極板方式による一般的な電気メスの概略構成を示す説明図である。
【符号の説明】
【００１３】
１  高周波電源部
２  対極板
３  プローブ
４  ソケット
５，５Ａ，５Ｂ  電極部材
６  金属製棒状端子
７  金属製ステイ
８  絶縁層
９  金属細線
９ａ  棒状端子付き起立細線
９ｂ  ステイ付き起立細線
９ｃ  弧状細線
Ａ  生体組織
ａ  患部
Ｋ  子宮口
【図１】
0003112005.tif 000003
【図２】
0003112005.tif 000004
【図３】
0003112005.tif 000005